(57)【要約】【課題】  空気（気泡）が樹脂被覆電線に入らず、樹脂と電線（ケーブル）との高い密着を可能とする品質が一定し製造後の検査が不要で、電線及び被覆量を減らしても通電性が高く軽量化が可能で、無検査、コスト節減、作業性や生産性の向上と効率化が可能になる製造装置を提供する。【解決手段】  芯線１１０を配設する真空容器１０と、真空容器１０と接続された真空状態の洗浄装置２１と、洗浄装置２１と接続された、芯線１１０に樹脂被覆する樹脂被覆領域である真空状態の押出成形装置３０と、樹脂被覆領域の後工程に配設された冷却装置４０と、を備えた樹脂被覆電線の製造装置Ｓ。【選択図】  図１
2010153376.tif 000002
【特許請求の範囲】
【請求項１】
真空条件下において、芯線を真空洗浄する洗浄工程と、該洗浄工程の後で、芯線に樹脂被覆する被覆工程と、前記被覆工程を行った後で冷却する冷却工程と、を備えたことを特徴とする樹脂被覆電線の製造方法。
【請求項２】
真空条件下において、芯線を真空洗浄する洗浄工程と、該洗浄工程の後で、芯線に樹脂被覆する被覆工程と、を行い、
前記被覆工程を行った後で、常圧下にて冷却する冷却工程と、を備えたことを特徴とする樹脂被覆電線の製造方法。
【請求項３】
前記洗浄工程と前記被覆工程との間で、前記芯線に金属を真空蒸着する蒸着工程を行うことを特徴とする請求項１又は２記載の樹脂被覆電線の製造方法。
【請求項４】
前記冷却工程の後工程で、真空状態の乾燥工程を行うことを特徴とする請求項１又は２記載の樹脂被覆電線の製造方法。
【請求項５】
前記樹脂被覆は、ナイロン樹脂を含む熱可塑性樹脂で行うことを特徴とする請求項１乃至４のいずれか１項に記載の樹脂被覆電線の製造方法。
【請求項６】
前記真空蒸着の金属は、銀、銅、アルミニウム、金を含む貴金属類のいずれかであることを特徴とする請求項３記載の樹脂被覆電線の製造方法。
【請求項７】
芯線を供給する真空状態の芯材供給領域と、該芯材供給領域に接続され前記芯線を真空状態で洗浄する洗浄領域と、該洗浄領域と接続された真空状態の押出成形装置によって前記芯線に樹脂被覆する樹脂被覆領域と、該樹脂被覆領域の後工程に配設された真空状態の冷却領域と、を備えたことを特徴とする樹脂被覆電線の製造装置。
【請求項８】
芯線を供給する真空領域と、該真空領域と接続された真空状態の洗浄領域と、該洗浄領域と接続された真空状態の押出成形装置によって前記芯線に樹脂被覆する樹脂被覆領域と、該樹脂被覆領域の後工程に配設された常圧下の冷却領域と、を備えたことを特徴とする樹脂被覆電線の製造装置。
【請求項９】
前記洗浄領域と前記樹脂被覆領域との間に、真空状態の蒸着領域を設けたことを特徴とする請求項７又は８記載の樹脂被覆電線の製造装置。
【請求項１０】
前記冷却領域の後工程に真空状態の乾燥領域を備えたことを特徴とする請求項７乃至９のいずれか１項に記載の樹脂被覆電線の製造装置。
【請求項１１】
前記請求項１乃至６のいずれか１項に記載の樹脂被覆電線の製造方法、又は請求項７乃至１０のいずれか１項に記載の樹脂被覆電線の製造装置、によって製造されたことを特徴とする樹脂被覆電線。
【発明の詳細な説明】
【技術分野】
【０００１】
本発明は、樹脂被覆電線の製造方法及び樹脂被覆電線の製造装置並びに樹脂被覆電線に係り、特に、品質にバラツキがなく、導電率が良好で、耐久性に優れた樹脂被覆した樹脂被覆電線の製造方法及び樹脂被覆電線の製造装置並びに樹脂被覆電線に関する。
【背景技術】
【０００２】
従来から、電線（ケーブル）に樹脂を被覆するための技術が種々提案されている。例えば、フッ素樹脂の膜厚が大きくても、活性剤をほぼ揮散させて電気特性を従来よりも向上せしめるようにしたフッ素樹脂被覆電線の製造方法が提案されている（特許文献１）。
【０００３】
特許文献１によれば、導体を走行させた状態でフッ素樹脂の微分末を液体に分散させたフッ素樹脂ディスパージョンを塗布し、さらに、１０-1
Torr以下の減圧下で１５０〜２５０℃の加熱処理を施す。次いで焼成することにより、従来よりも電気特性が向上したフッ素樹脂被覆電線が得られる技術が開示されている。
【０００４】
また、特許文献２によれば、ポリアミド樹脂組成物により被覆された樹脂被覆電線が提案されている。このように、樹脂被覆電線には、被覆する樹脂の種類を含めて多くの提案技術が存在する。
【特許文献１】特開平６−３０９９７２号公報（特許請求の範囲、図１）
【特許文献２】特開２００６−１５２０３９号公報
【発明の概要】
【発明が解決しようとする課題】
【０００５】
従来の樹脂被覆電線は、電線のヨリコミ工程で空気や油を全て除去することなく製造されているため、空気や油が被覆膜中に含まれており、品質にムラがあり、ムラがトラブルの原因になっている。例えば、従来の樹脂被覆電線は、気温・気圧の変化（高温と低温の繰り返し等）で被覆内の空気が膨張・収縮しているため、膨張収縮疲労に加え、錆の発生原因となり、劣化が早いという不都合がある。
【０００６】
図１０及び図１１は従来の樹脂被覆電線を示すものであり、図１０は縦断面の説明図、図１１は図１０のＢ−Ｂ線断面図である。
この図で示すように、従来の樹脂被覆電線Ｄは、被覆している樹脂層１００に空気（気泡）１２０が混じっており、また電線１１０と樹脂層１００との密着性に問題があった。さらに電線１１０の間にも空気（気泡）１２０が混じって、電線１１０どうしの密着度が低くなっている。
【０００７】
このように従来の樹脂被覆電線では、図示のように空気が混入しているので、通常の樹脂被覆電線を製造するときに、気候状態による空気の膨張などにより、線自体が一定の均一なものができないという不都合があり、凸が生じているかどうかの検査が必要となっていた。
【０００８】
また、導電率についても、従来の樹脂被覆電線は、樹脂被覆内に空気（気泡）が入っているため、被覆内にムラが生じ、そのため、導電率が一定にならないだけでなく、被覆時における気温・気圧の関係によって、品質への影響が大きいという不都合があった。このため、地域によっては、品質に影響のないように特別な対応を行う必要があった。
【０００９】
そして、従来の樹脂被覆電線に、空気（気泡）が入る原因としては、電線（コイル）自体に入っている空気（気泡）、被覆する樹脂に入っている空気（気泡）等がある。従来から、このように樹脂被覆電線に空気（気泡）が混入することは不可避であると考えられており、止むを得ないものと考えられていた。
【００１０】
本発明の目的は、樹脂と電線（ケーブル）との高い密着を可能とする品質が一定し製造後の検査が不要で、電線及び被覆量を減らしても通電性が高く軽量化が可能で、無検査、コスト節減、作業性や生産性の向上と効率化が可能になる樹脂被覆電線の製造方法及び樹脂被覆電線の製造装置並びに樹脂被覆電線を提供することにある。
本発明の目的は、空気（気泡）が樹脂被覆電線に入らない樹脂被覆電線の製造方法及び樹脂被覆電線の製造装置並びに樹脂被覆電線を提供することにある。
【課題を解決するための手段】
【００１１】
前記課題は、本発明の樹脂被覆電線の製造方法によれば、真空条件下において、芯線を真空洗浄する洗浄工程と、該洗浄工程の後で、芯線に樹脂被覆する被覆工程と、前記被覆工程を行った後で冷却する冷却工程と、を備えたこと、により解決される。
また、真空条件下において、芯線を真空洗浄する洗浄工程と、該洗浄工程の後で、芯線に樹脂被覆する被覆工程と、を行い、前記被覆工程を行った後で、常圧下にて冷却する冷却工程と、を備えたこと、により解決される。
【００１２】
このように、真空条件下において、芯線（電線）を真空洗浄しているので、電線に付着しているオイルやゴミなどの微細物の除去が可能となり、芯線が純粋なものとなる。また、このように付着物のない芯線に、真空条件下で樹脂被覆するので、被覆したときの樹脂層との密着性が向上し、同時に、芯線の密着度が向上するために、被覆層を厚くすることが可能となり、より外部からの影響を受けにくくなる。
【００１３】
また、樹脂被覆電線内に空気（気泡）ができるだけ入らない状況とすることが可能であるため、空気の存在によって生じる漏電や放電の問題が生じない。さらに、伝導率が良くなるため通電性がよくなる。このように、通電性がよくなるために、芯線（電線）の量を減らして軽量化することが可能となるだけでなく、芯線（電線）の量を減らしても通電性が良好となるために、従来品に比して品質が劣化することがない。また、全ての工程を真空条件下で行うと、上記作用効果をより確実にすることが可能となる。
【００１４】
また前記洗浄工程と前記被覆工程との間で、前記芯線に金属を真空蒸着する蒸着工程を行うと好適である。
このように金属の蒸着工程を備えているために、芯線に二重に被覆をすることが可能となり、電磁波防止、通電効果、漏電防止をさらに確実にすることが可能となる。
【００１５】
また、前記冷却工程の後工程で、真空状態の乾燥工程を行うように構成する好適である。冷却して乾燥するときに、真空乾燥を行うことにより、より確実に樹脂被覆電線の真空度を確保することが可能となる。
【００１６】
前記樹脂被覆は、ナイロン樹脂を含む熱可塑性樹脂で行うと好適である。このように、樹脂としてナイロン樹脂を含む熱可塑性樹脂を用いることで、吸水性がなくなり、同時に難燃性が高くなり、強度が倍加する。
【００１７】
さらに、前記真空蒸着の金属は、銀、銅、アルミニウム、金を含む貴金属類のいずれかを用いることもできる。このように金属を真空蒸着することにより、芯線（電線）に被覆した金属の性質に応じた機能をもたせることが可能となる。
【００１８】
前記課題は、本発明の樹脂被覆電線の製造装置によれば、芯線を供給する真空状態の芯材供給領域と、該芯材供給領域に接続され前記芯線を真空状態で洗浄する洗浄領域と、該洗浄領域と接続された真空状態の押出成形装置によって前記芯線に樹脂被覆する樹脂被覆領域と、該樹脂被覆領域の後工程に配設された真空状態の冷却領域と、を備えたこと、により解決される。
また前記課題は、芯線を供給する真空領域と、該真空領域と接続された真空状態の洗浄領域と、該洗浄領域と接続された真空状態の押出成形装置によって前記芯線に樹脂被覆する樹脂被覆領域と、該樹脂被覆領域の後工程に配設された常圧下の冷却領域と、を備えたこと、により解決される。
【００１９】
また、前記洗浄領域と前記樹脂被覆領域との間に、真空状態の蒸着領域を設けると好適であり、上記冷却領域の後工程に配設された真空状態の乾燥領域を備えると好適である。
このように蒸着領域を備えているために、この蒸着によって芯線に二重に被覆をすることが可能となり、電磁波防止、通電効果、漏電防止をさらに確実にすることが可能となる。
また、冷却して乾燥するときに、真空状態の乾燥領域を備えているために、より確実に樹脂被覆電線の真空度を確保することが可能となる。
【００２０】
前記課題は、本発明の樹脂被覆電線によれば、前記請求項１乃至６のいずれか１項に記載の樹脂被覆電線の製造方法、又は請求項７乃至１０のいずれか１項に記載の樹脂被覆電線の製造装置、によって製造されたこと、により解決される。
【００２１】
上記製造方法或いは製造装置によって製造された樹脂被覆電線によれば、空気（気泡）が樹脂被覆電線に入らない、前述した作用効果を備えた樹脂被覆電線を得られることになり、被覆樹脂と電線（ケーブル）との高い密着を可能とする品質が一定し製造後の検査が不要で、電線及び被覆量を減らしても通電性が高く軽量化が可能で、無検査、コスト節減、作業性や生産性の向上と効率化が可能になる。
【発明の効果】
【００２２】
本発明によれば、被覆樹脂と電線（ケーブル）との高い密着を可能とする品質が一定し製造後の検査が不要で、電線及び被覆量を減らしても通電性が高く軽量化が可能で、無検査、コスト節減、作業性や生産性の向上と効率化が可能になる。
そして、樹脂の被覆量を１５〜２０％減らすことが可能となり、芯線が密着することによって生産性が向上し、芯線の密着度が高くなるために通電性が高くなるため、芯線の本数を減らすことが可能となり、ハーネス等の場合には細くできて占有断面積スペースも縮減できる。また軽量化と無検査等により作業者の負担がなくなり、作業効率が向上する。
特に、例えば砂漠に太陽エネルギーを電力に変換して都市部へ供給するときに、本発明の樹脂被覆電線を用いると、温度や気圧の影響を少なくして正確な数値で供給でき、品質のよい電気の安定供給が可能となり、電力のロスを少なくして効率よく送電することが可能となるだけでなく、エアコン・テレビ・冷蔵庫等の電気製品、工場・オフィスビル内の配線、電気自動車等のハーネス等で漏電による火災の心配がない。
【図面の簡単な説明】
【００２３】
【図１】本発明の第１の実施形態を示す製造工程の概略図である。
【図２】本発明の第２の実施形態を示す製造工程の概略図である。
【図３】本発明の第３の実施形態を示す製造工程の概略図である。
【図４】本発明の第４の実施形態を示す製造工程の概略図である。
【図５】蒸着領域を示す説明図である。
【図６】洗浄領域と樹脂被覆領域との接合を示す説明図である。
【図７】本発明の第５の実施形態を示す製造工程の概略図である。
【図８】樹脂被覆電線の縦断面の説明図である。
【図９】図７のＡ−Ａ線断面図である。
【図１０】従来の樹脂被覆電線の縦断面の説明図である。
【図１１】図１０のＢ−Ｂ線断面図である。
【発明を実施するための形態】
【００２４】
以下、本発明の一実施形態について、図を参照して説明する。なお、以下に説明する部材、配置等は、本発明を限定するものではなく、本発明の趣旨に沿って各種改変することができることは勿論である。
【００２５】
図１乃至図１０は本発明の実施形態を示すものであり、図１は第１の実施形態を示す製造工程の概略図、図２は第２の実施形態を示す製造工程の概略図、図３は第３の実施形態を示す製造工程の概略図、図４は第４の実施形態を示す製造工程の概略図、図５は蒸着領域を示す説明図、図６は洗浄領域と樹脂被覆領域との接合を示す説明図、図７は第５の実施形態を示す製造工程の該略図、図８は樹脂被覆電線の縦断面の説明図で、図９は図８のＡ−Ａ線断面図、図１０は従来の樹脂被覆電線の縦断面の説明図、図１１は図１０のＢ−Ｂ線断面図である。
【００２６】
図１は第１実施形態の製造工程を示す概略図であり、本実施形態の樹脂被覆電線の製造装置Ｓは、真空容器１０と、パイプ体２０と、押出成形装置３０と、冷却装置４０と、真空乾燥装置５０と、真空ポンプ６０を備えている。本実施形態では真空ポンプ６０は、真空容器１０と、押出成形装置３０と、真空乾燥装置５０とに管体７０によって連結されており、これらを−１００ｋｐｓ以上の真空状態に保持している。
【００２７】
本例の真空容器１０は、芯線１１０を供給する真空領域を構成するものであり、上記のように真空ポンプ６０と連結されている。真空容器１０内には、芯線（電線）１１０の送出リール１１が配置され、芯線１１０は、芯線（電線）１１０の送出リール１１に巻回された状態で、その一端が次のパイプ体２０へ導かれている。なお芯線（電線）１１０送出リール１１は、芯線（電線）１１０の所定テンションにより、芯線（電線）１１０を樹脂で被覆して樹脂被覆電線Ｄとした巻取リール１２へ巻き取られるように構成されている。
【００２８】
またパイプ体２０は所定径をした中空筒体であり、上記真空容器１０と接続された真空状態となっており、洗浄装置２１が配設されており、洗浄領域を構成している。この洗浄装置２１では、水や、メチクロで芯線（電線）１１０に付着した汚れや油脂分を取るように構成されている。例えば、洗浄容器内を通すことにより洗浄することで、被覆する樹脂との密着性が良好となるだけでなく、油脂分や空気等が混在しないので、発熱しても発火等の虞が極めて少なくなる。
【００２９】
本例の押出成形装置３０は、洗浄領域を構成するパイプ体２０と接続された真空状態で芯線１１０に樹脂被覆する樹脂被覆領域を形成している。押出成形装置３０は、真空ホッパー３１及び真空ホッパー３１に接続されたダイス３２と、を備えている。
【００３０】
本例の樹脂被覆は、ナイロン樹脂で行っており、図６で示されるように、ダイス３２の芯線１１０の挿入口３２ａから芯線１１０を通すもので、ダイス３２内で芯線１１０を通すことにより、芯線１１０を樹脂で被覆することができる。このように、樹脂としてナイロンを用いることで、吸水性がなくなり、同時に難燃性が高くなり、強度が倍加する。
【００３１】
本発明の樹脂被覆電線Ｄを製造する方法は、芯線（電線）１１０の供給元（真空容器１０）、洗浄、樹脂被覆までが真空状態で行えることが条件となるが、成形機としては、単軸、２軸の押出機など真空ホッパー３１と、ダイス３２を用いることで、各種の樹脂を被覆することができる。
なお、樹脂にシリコーンを３〜５％混入することにより強度や柔軟性および通電性を高くすることができる。これにより、脱塩化ビニル樹脂とすることが可能になる。
なお、上記実施形態では被覆する樹脂としてナイロンを例示したが、全ての熱可塑性樹脂を用いることが可能である。
【００３２】
また被覆技術としては、真空状態を維持した真空ホッパー３１から溶融混練機に樹脂を供給して、樹脂の融解ピーク＋５〜６０℃
の加工温度で混練した後、ダイス３２内で芯線（電線）１１０を取囲んで押し出しする方法、ダイス３２出口で電線を取り囲んで押し出しする方法等により電線を被覆する方法等が挙げられる。
【００３３】
冷却装置４０は、樹脂被覆領域としての押出成形装置３０の後工程に配設されるもので、常圧下の冷却領域を構成するものである。本例では、樹脂被覆によって、芯線１１０と共に加熱されている樹脂被覆電線Ｄを冷却するものである。冷却装置４０は公知の装置を用いている。つまり、ダイスから出た直後の被覆電線の冷却手段は特に制限されるものではないが、冷却効率、安定性の面から水冷法が好適に用いられる。
【００３４】
本例の真空乾燥装置５０は、冷却領域を構成する冷却装置４０の後工程に配設されるもので、真空ポンプ６０と管体７０を介して真空乾燥装置５０と連結して、真空状態の乾燥領域を構成するものである。冷却して乾燥するときに、真空乾燥を行うことにより、より確実に樹脂被覆電線Ｄの真空度を確保することが可能となる。そして、巻取リール１２により樹脂被覆電線Ｄを巻き取る。
【００３５】
本実施形態では、送出リール１１には、芯線（電線）１１０が一定量の巻量で巻き取られている。この送出リール１１に巻かれている芯線１１０が一定の線速で送り出され、パイプ体２０、押出成形装置３０、冷却装置４０、真空乾燥装置５０で各処理を行い、巻取リール１２へ巻き取られる。
【００３６】
以上のように、−１００ｋｐｓ真空内では、図７及び図８で示すように、芯線１１０内の空気が真空圧１０Ｔｏｍ圧縮され、芯線１１０と被覆樹脂との間、芯線１１０と芯線１１０に入っている空気（気泡）が抜けることになる。このため、芯線１１０と被覆樹脂、芯線１１０と芯線１１０とが、それぞれ密着され、きれいなひとかたまり（一本）の線となる。このように、膨らんでいる芯線１１０と芯線１１０及び被覆樹脂が−１００ｋｐｓ真空においては、空気が抜けることにより、線自体の束が細くなり、また芯線１１０と被覆樹脂との間が細くなる。従って、全体に同じ径の樹脂被覆電線Ｄの場合には、被覆樹脂の量が多くなる。
【００３７】
そして、上記製造方法及び製造装置では、樹脂被覆の原材料から押出成形機まで、真空となって、空気が入っていないため、均一な被覆が可能であり、また、芯線１１０自体にも空気が入っていないため、より均一な品質の高い安定した電線ができる。
【００３８】
また、本発明の樹脂被覆電線Ｄでは、被覆樹脂とその内部が真空状態で被覆されているため、一定の導電率を維持することが可能となるだけでなく、切断面より内側に水が入らないように密着させることが可能となる。このため、強度および通電性の向上が図れると共に、芯線１１０の本数も１０本から８本にしても、通電性が変化しない。
【００３９】
図２は第２実施形態を示すものであり、図１の実施形態の洗浄領域（洗浄工程、洗浄装置）に続いて、蒸着領域として、芯線１１０に金属を真空蒸着する蒸着工程（蒸着装置２２）を配設したものである。図５に示すように、蒸着装置２２としては、加熱源２２ａと、蒸着源（蒸着用金属）２２ｂを容器２２ｃ内に配置して、この容器２２ｃ内を芯線１１０が通過するように構成している。
【００４０】
このように蒸着装置２２により、金属の蒸着工程を備えているために、芯線１１０に二重に被覆をすることが可能となり、電磁波防止、通電効果、漏電防止をさらに確実にすることが可能となる。この真空蒸着の金属は、銀、銅、アルミニウム、金を含む貴金属類のいずれかを用いることもできる。このように金属を真空蒸着することにより、芯線１１０（電線）に被覆した金属の性質に応じた機能を持たせることが可能となる。上記蒸着装置２２としては、公知の装置を用いることができる。本実施形態の蒸着装置２２は、蒸着源をヒータ等で加熱しているが、電子銃その他の手段を用いて加熱することができるのは公知技術と同様である。
【００４１】
本実施形態では、洗浄領域の後に、蒸着領域を設けており、洗浄装置２１と蒸着装置２２とがパイプ体２０内に配設されているものである。なお、金属の蒸発物が洗浄領域に入らないように仕切り等を設けて、蒸着領域を独立させるようにしている。このように、洗浄と蒸着によれば、電線内に空気・油・汚れなどが入っていると漏電により火災になる原因となるが、本発明のように、全真空での電線では空気（酸素）が入っていないため、漏電による火災防止になる。
【００４２】
図３で示す実施形態は、図１で示す例において、乾燥を常圧で行っている例であり、真空ポンプ６０が真空乾燥装置５０に接続されていない例を示すものである。このように構成しても、優れた樹脂被覆電線Ｄが製造できる。
【００４３】
図４で示す実施形態は、図２で示す例において、乾燥を常圧で行っている例であり、真空ポンプ６０が真空乾燥装置５０に接続されていない例を示すものである。このように構成しても、優れた樹脂被覆電線Ｄが製造できる。
【００４４】
図７で示す実施形態は、図１で示す例において、全ての構成要素を真空状態にした例である。即ち、本実施形態の樹脂被覆電線の製造装置Ｓは、全体を気密になるように、金属等によって覆っている。つまり、芯線１１０の供給される真空容器１０ａと、被覆された樹脂被覆電線Ｄの巻取リール１２配置される真空容器１０ｂと、パイプ体２０と、洗浄装置２１と、押出成形装置３０と、ダイス３２と、冷却装置４０と、真空乾燥装置５０と、真空ポンプ６０を備えており、これらの外周は真空状態を保持するために金属等により被覆されている。
【００４５】
そして、これらの各装置は、真空ポンプ６０と管体７０を介して連通されており、同時に、また同様に、真空容器１０ａと連続するパイプ体２０と、パイプ体２０内に配置された洗浄装置２１と、洗浄装置２１と連続するダイス３２と、ダイス３２と連続する冷却装置４０と、冷却装置４０と連続する真空乾燥装置５０と、真空乾燥装置５０と連続する真空容器１０ｂとにより、真空状態が保たれるように構成されている。
【００４６】
なお、図７では図示していないが、図２で示す蒸着装置２２も同様に真空状態にして配置した構成にしてもよい。また、図７の例では、真空ポンプ６０を管体７０で接続した構成例を示しているが、蒸着装置２２を配置するパイプ体２０にも真空ポンプ６０を接続させることで、真空度をより確保することができ、金属膜の被覆精度を高めることが可能となる。
以上のように、樹脂被覆電線の製造装置Ｓの全体を気密になるように覆って形成しているので、芯線を樹脂で被覆するときに、気泡が被覆内に残留するのをより確実に防止できる。
【産業上の利用可能性】
【００４７】
本発明の樹脂被覆電線は、外観、難燃性、柔軟性、耐屈曲性および耐熱性が良好であることから各種用途に展開可能であり、例えば、電気・電子関連用途、精密機械関連機器、事務用機器、家電、住宅、自動車・車両関連部品、医療、航空機関連などに適している。
【符号の説明】
【００４８】
１０ａ，１０ｂ  真空容器
１１  送出リール
１２  巻取リール
２０  パイプ体
２１  洗浄装置
２２  蒸着装置
２２ａ  加熱源
２２ｂ  蒸着源（蒸着用金属）
２２ｃ  容器
３０  押出成形装置
３１  真空ホッパー
３２  ダイス
３２ａ  挿入口
４０  冷却装置
５０  真空乾燥装置
６０  真空ポンプ
７０  管体
１００  樹脂層
１１０  芯線（電線）
１２０  空気（気泡）
Ｄ  樹脂被覆電線
Ｓ  製造装置
【図１】
2010153376.tif 000003
【図２】
2010153376.tif 000004
【図３】
2010153376.tif 000005
【図４】
2010153376.tif 000006
【図５】
2010153376.tif 000007
【図６】
2010153376.tif 000008
【図７】
2010153376.tif 000009
【図８】
2010153376.tif 000010
【図９】
2010153376.tif 000011
【図１０】
2010153376.tif 000012
【図１１】
2010153376.tif 000013